(57)【要約】      （修正有）【課題】構造簡単で操作が容易で、患部に対して、ピンポイントであてがって、指圧できる指圧補助具を提供する。【解決手段】指圧補助具１０は、板状体１１と、その板状体１１の一端の下方に固着させた台座１３とを備え、台座１３によって形成された板状体１１の傾斜面１１ａのほぼ中央位置には、１つの突起１２が設けられている。板状体１１や突起１３の素材としては木質、ゴム、合成樹脂、金属など種々のものを使用できるが、ＦＲＰや炭素繊維を含有させたものでも良い。【選択図】図１
0003168770.tif 000002
【実用新案登録請求の範囲】
【請求項１】
細長い板状体の一方を高くして、頂点部を有する傾斜面を形成し、その傾斜面に１つの突起を設けたことを特徴とする指圧補助具。
【請求項２】
請求項１において、
前記傾斜面は、弾性変形可能な素材で構成されており、前記突起に患部が押付けられたときには、その弾性復元力を患部に作用させる構造にしている、指圧補助具。
【請求項３】
請求項１または２において、
前記突起は、前記傾斜面に沿って、上、下方向の位置を変動できる構造にしている、指圧補助具。
【請求項４】
請求項１〜３のいずれかにおいて、
前記傾斜面の頂部側には、水平な支持受部がさらに形成されている、指圧補助具。
【請求項５】
請求項１〜４のいずれかにおいて、
前記突起は、先端が尖らず、先端部より広がった基端部を有し、その周縁が面取りされた形状になっている指圧補助具。
【考案の詳細な説明】
【技術分野】
【０００１】
本考案は、患者自身が簡単に操作して指圧を施すことができる指圧補助具の改良に関する。
【背景技術】
【０００２】
従来より、手技による指圧の代わりに、患者自身が自ら操作しながら指圧を施こすことができる指圧補助具が種々提案されている（例えば、特許文献１、２参照）。
【０００３】
特許文献１のものは、ベース部材に２個以上の指圧用の押圧部を形成して構成され、持ち手を操作して指圧できるようになっている。また特許文献２には、複数の半球状の指圧用突起を背もたれ部に設けて指圧とマッサージ効果を発揮するようにしたベンチが提案されている。
【先行技術文献】
【特許文献】
【０００４】
【特許文献１】特開２００１−２５５００号公報
【特許文献２】実用新案登録第３１１９６２４号公報
【考案の概要】
【考案が解決しようとする課題】
【０００５】
ところが、これら従来の指圧補助具は複数の指圧用突起を有しているために、背中等に指圧補助具をあてがっても、複数のポイントに力が分散したり、患部ではない部位に力が加わったりしてしまい、肝心の患部へは十分な指圧効果が得られないことが多い。
【０００６】
また、電気的に駆動するマッサージ機では、指圧用突起が順次、前後上下等に動作しながら駆動するので押圧力は必要とされないが、このようなものも突起は左右等１組を設けたものが多い。したがって、突起同士の間隔は調整できても、肝心の患部をピンポイントで押圧することは難しく、隔靴掻痒の感は否めない。
【０００７】
本考案は、このような事情を考慮して提案されたもので、その目的は、操作が容易な上に楽な姿勢で患部に対してピンポイントで押圧できる指圧補助具を提供することにある。
【課題を解決するための手段】
【０００８】
上記目的を達成するために提案される本考案の指圧補助具は、細長い板状体の一方を高くして、頂点部を有した傾斜面に、１つの突起を設けたことを特徴としている。
【０００９】
請求項２に記載の指圧補助具は、前記傾斜面は、弾性変形可能な素材で構成され、前記突起に患部が押付けられたときには、その弾性復元力を患部に作用させる構造にしている。
【００１０】
請求項３に記載の指圧補助具は、前記傾斜面に沿って、上、下方向の位置が変動できる構造にしており、請求項４に記載の指圧補助具は、前記傾斜面の頂点部側には、水平な支持受部がさらに形成されている。
【００１１】
請求項５に記載の指圧補助具は、突起は先端が尖らず、先端部より広がった基端部を有し、その周縁が面取りされた形状になっている。
【考案の効果】
【００１２】
本考案の指圧補助具によれば、一方を高くした傾斜面に１つの突起を設けた構成であるため、突起を患部にあてがうようにして傾斜面に体を乗せるか、傾斜面を体に押し付けるだけで、突起に押圧力を集中させて指圧ができる。
また、患部への指圧の強さも、患部に対する押付を手加減することで簡単に調節できる。
【００１３】
したがって、背中や肩甲骨を押圧する場合にも、床面に体を仰向けにした後、横向きになってから、体と床面との間に指圧補助具を置き、突起を患部にあてがってから、体を指圧補助具に載せるだけで、患部をピンポイントで押圧することができる。
【００１４】
請求項２に記載の指圧補助具によれば、傾斜面は、弾性変形可能な素材で構成され、突起に患部が押付けられたときには、その弾性復元力を患部に作用させる構造にしているので、押圧力を小さくしても、弾性力が作用して十分な指圧ができる。
さらに、請求項３に記載の指圧補助具によれば、突起は傾斜面に沿って、上、下方向の位置を変動できるため、使用目的や使用する人（大人、子供など）に応じて、操作のしやすい位置や、適正な押圧力がかかる位置に移動させて調節できる。
【００１５】
請求項４に記載の指圧補助具によれば、傾斜面の頂部側に水平な支持受部が形成されているので、体を横向きに転がせて、その支持受部に載せ置きすることで、指圧を一時的に安定して中断することができ、使い勝手がよい。
【００１６】
請求項５に記載の指圧補助具によれば、突起は先端が尖らず、その周縁が面取りされているので、突起の周縁に患部をあてがうことで、突起の先端を押付けた場合とは異なるパターンの刺激で指圧ができる。
また、突起は先端部を尖らせず、先端部よりも広がった基端部の周縁が面取りされた形状になっているので、体をずらせることで、基端部の面取りされた周縁を患部に押付けて指圧することもできるので、突起の先端部だけで押圧するものに比べて、刺激を異ならせた押圧パターンで指圧ができる。
更に、面取りされているので刺激も軽減でき、あてがう部分が突起の頂部よりも寸法的にも小さく傾斜しているので、患部に過度な刺激を与えることもない。
【図面の簡単な説明】
【００１７】
【図１】（ａ）は指圧補助具の一実施形態を示す斜視図、（ｂ）は床置使用時の正面図である。
【図２】同指圧補助具の使用例である。
【図３】（ａ）、（ｂ）は同指圧補助具の他の使用例である。
【図４】同指圧補助具のさらに他の使用例である。
【図５】（ａ）は指圧補助具の他の実施形態を示す床置使用時の正面図、（ｂ）は同指圧補助具のＸ−Ｘ線拡大概略縦断面図である。
【考案を実施するための形態】
【００１８】
以下に、本考案の実施形態について、添付図面とともに説明する。
【００１９】
図１（ａ）、（ｂ）は、指圧補助具の一実施形態を示す斜視図、床置使用時の正面図である。
【００２０】
この指圧補助具１０は、板状体１１と、その板状体１１の一端の下方に固着させた台座１３とを備え、台座１３によって形成された板状体１１の傾斜面１１ａのほぼ中央位置には、１つの突起１２が設けられている。板状体１１や突起１３の素材としては木質、ゴム、合成樹脂、金属など種々のものを使用できるが、ＦＲＰや炭素繊維を含有させたものでもよい。
【００２１】
台座１３は、図例以外にも種々構成でき、台座に代えて、板状体１１の一端または両端に蝶番を設けて折り曲げ、あるいは折り畳み可能な構成にして、使用時に折り曲げて傾斜面としてもよい。また、板状体１１の一端の裏面に結合穴などを設けておいて、板状体１１と別体とした台座を使用時に取り付けてもよい。
【００２２】
板状体１１の寸法は、人が背中等にあてがって操作できるものとして、幅５〜１０ｃｍ、長さ２０〜４０ｃｍ、厚さ３〜６ｃｍ程度のものが好適に使用できるが、使用目的によって寸法が特定されることはいうまでもない。また、台座１３の高さについても適宜の寸法のものを使用すればよいが、傾斜面１１ａの傾斜角度は、床置として使用する場合１〜１０度が好適である。
さらに、傾斜面１１ａを構成する板状体１１は弾性変形可能な素材で製されてあってもよい。そのようなものでは、突起１２に患部が押付けられたときには、板状体１１が弾性変形して、その弾性復元力が患部に作用するので、押圧力が小さくても十分な指圧ができる。
【００２３】
突起１２は傾斜面１１ａの中央部に固定されており、傾斜面１１ａの頂部側（突起１２を設けた部位よりも高所側）には、体の一部を一時的に載せ置きできる支持受部１１ｂが形成されている。なお、支持受部１１ｂは、患部を一時的に載置したときに安定に保持するために水平な平坦面を設けてもよい。
【００２４】
この突起１２は、板状体１１と同一素材でもよいが、患部に押圧する部分であるため、遠赤外線を放射する効果の高いもの、微弱な放射線を出すものなど、医療効果の高い材料を含んだものでもよい。例えば、炭素、水晶、トルマリン、ラジウム、ゲルマニウム、磁性体などを使用したり、内部に直接封入してもよい。もちろん板状体１１にもこの種の素材を含有させてもよい。
【００２５】
また突起１２は、図例のものでは、略四角錐台形状の部材で構成されているが、このような形状のものでは、図１（ｂ）の１点鎖線で囲んだ拡大斜視図に示すように、角部１２ｂを面取りしておくことが望ましい。
【００２６】
後述するように高所側から低所側へ体を滑らせて使用する場合、おもに突起１２の高所側の角部１２ｂと先端部（頂上部）１２ａで指圧することとなるため、その角部１２ｂは指圧に適した湾曲面あるいは平坦面とすることが望ましい。突起１２の先端部１２ａは、図例では、患部に必要以上の刺激を与えないために平坦面に形成されているが、凸状の湾曲面に形成してもよい。
【００２７】
なお突起１２は、円柱、円錐台、三角錐台、その他形状でもよいが、患部に必要以上の刺激を与えないためには先端部が尖っていない形状が望ましい。また、傾斜面１１ａの板上縁部１１ｄも図例のように面取りしておくことが望ましく、そのような構造のものでは、傾斜面１１ａの面取部を患部にあてがって指圧することができる。
なお、使用中、体に当たる傾斜面の全ての角部について面取りしておけば、更に異なった指圧の刺激を与えることができる。
【００２８】
突起１２は傾斜面１１ａに固定できればよいが、取り外し自在として取付位置を変更できるようにしてもよい。図例のように、突起１２にボルト螺子１４を埋め込み、傾斜面１１ａに複数の螺子孔１１ｃを設けて、突起１２のボルト螺子１４を任意の螺子孔１１ｃに螺入させて、位置を有段階的に変更させて固定できるようにしてもよい。
【００２９】
また、使用目的に応じて、寸法（縦、横、高さ）や形状の異なる突起１２を準備しておき取り替えて使用するようにしてもよい。例えば家族で使用する場合には、大人、子供など個人に合った突起１２に付け替えればよい。
【００３０】
また、突起１２にゴムなど柔軟なカバーを被せて、より柔らかな感触で押圧できるようにしてもよい。
【００３１】
ついで、図１に示した指圧補助具１０の使用方法について、図２〜図４の使用例図を参照しながら説明する。
【００３２】
この指圧補助具１０は、図２および図３（ａ）、（ｂ）に示すように床置した後、体が傾斜面１１ａを横断するようにして、腰、太腿部等にあてがい、突起１２を指圧したい患部１２に押し当てる。この状態で体重を掛けると、突起１２は患部を押圧するが、このような状態で台座１３や操作端部１０aを手で操作して移動したり（図１（ｂ）の矢印方向）、図２に示すように他端１０ｂを支点として水平方向に操作端部１０ａを回転させたり、横にずらしたりして患部を手探りで見つけ出し、見つけ出した後は患部を突起１２で押圧し続けながら患部への押圧力や刺激を調整することができる。
また、床面上で仰向けになって体を横向きにして体と床面との間に隙間を形成してから、そこに指圧補助具１０を挿入して、突起１２を患部に宛がうようにしてから体を指圧保持具１０の上に置いて指圧を施してもよい。
【００３３】
また、支持受部１１ｂを設けたものでは、指圧の途中において、突起が患部から離れるように体を横回転させて支持受部１１ｂに載せることで指圧を中断することができ、体を反対方向に横回転させて患部を突起１２の上に載せれば、突起１２による連続的な刺激を休止しながら指圧が継続できる。
【００３４】
指圧補助具１０は腰部、太腿部の他、背中、腕、首など体の種々の部位に使用でき、また上方から突起１２を下に向けて押し当てるように使用することもできる。
例えば、突起１２を患部に宛がい、板状体１１の両端を手でもって、突起を支点として、シーソのように揺動させて指圧を行ってもよく、患部に指を押し付ける従来の指圧に比べると、小さい力で十分な押圧力を作用させることができる。
【００３５】
また、図４に示すようにイス２０に座った状態で、背もたれ部２１と背中の間に、指圧補助具１０を突起１２を背中に向けた状態で挟み込むなどして傾斜面１１ａの体からはみ出した部分を手で前後、上下などに揺り動かしてもよく、指圧補助具１０は、てこの原理によって、はみ出し部分と体が接触する部分を支点とし、突起１２を力点として、比較的小さい力で患部に押し当ることができる。
【００３６】
これら以外に、竹踏みのような要領で足の裏で突起１２を踏みつけたり、突起１２を患部に叩きつけてもよく、使用目的に応じてその他使用態様を変更すればよい。
【００３７】
以上のように、指圧補助具１０は指圧用の突起１２を１つ設けた構成であるため、患部へのあてがいが極めて簡単で、患部に押圧力に集中させることができる。また、押圧力も手加減で好みに合わせて容易に調節できる。
【００３８】
さらに、図５に示した他の指圧補助具１０は、台座を板状体１１に一体化して形成されたもので、丈夫な合成樹脂等で一体成形されており、傾斜面１１ａ上には突起１２が設けられ、その先端部１２ａが底面に対して平行に形成されている。
【００３９】
この指圧補助具１０によれば、図１に示した指圧補助具１０と同様に効果が得られるとともに、指圧補助具１０を床置したときには先端部１２ａの面が水平となるため、先端部１２ａの全面を患部に均一に押し当てることができ、床置用として好適に使用できる。
【００４０】
この指圧補助具１０は、突起１２からボルト螺子１４を突出させる一方で傾斜面１１ａには長い溝条１１ｄを形成しておき、突起１２のボルト螺子１４を溝条１１ｄに貫通突出させて、突起１２をスライド自在に任意の位置で固定できるようになっているが、突起１２の緩みを防止するために、スプリングワッシャを介してボルト止めしてもよい。なお、その他の方法で突起１２を傾斜面１１ａに沿って無段階で調節可能な構造にしてもよい。
【符号の説明】
【００４１】
１０      指圧補助具
１０ａ      操作端部
１０ｂ      他端
１１      板状体
１１ａ      傾斜面
１１ｂ      支持受部
１１ｃ      孔
１１ｄ      溝条
１２      突起
１２ａ      先端部
１２ｂ      角部
１３      台座
１４      ボルト螺子
１５      蝶ナット
２０      イス
２１      背もたれ部
【図１】
0003168770.tif 000003
【図２】
0003168770.tif 000004
【図３】
0003168770.tif 000005
【図４】
0003168770.tif 000006
【図５】
0003168770.tif 000007